(57)【要約】【課題】吸収性物品を着用した状態又はこれに相当する状態での肌（皮膚）との（接触状態での）位置ずれを検知する。【解決手段】ダミー２０の評価品１０接触領域内に少なくとも一つの第１位置を設定し、前記評価品１０のダミー１０接触領域内に複数の第２位置を設定し、ダミー２０の可視部位を通して、ダミー２０の脚の運動による、前記第１位置と前記第２位置とのずれを検知し、評価品の位置ずれを検知する。【選択図】図５
2020049008.tif 000002
【特許請求の範囲】
【請求項１】
体液を受け止める又は受け止めて吸収する吸収性物品あるいはその要素品を評価品として、着用者を模した下半身ダミーに装着させ、ダミーの脚の運動に伴う、評価品の位置ずれを検知する方法であって、
前記ダミーの評価品接触領域内に少なくとも一つの第１位置を設定し、前記評価品のダミー接触領域内に複数の第２位置を設定し、
前記ダミーは、少なくとも評価品接触領域を睨む部位が可視部位であり、
前記可視部位を通して、ダミーの脚の運動による、前記第１位置と前記第２位置とのずれを検知し、評価品の位置ずれを検知する、
ことを特徴とする吸収性物品の位置ずれ検知方法。
【請求項２】
前記評価品は、下地材上に位置させ、下地材と前記ダミーとの間に前記評価品を装着させる、請求項１記載の吸収性物品の位置ずれ検知方法。
【請求項３】
前記第１位置及び前記第２位置をマーキングして視認可能とする、請求項１記載の吸収性物品の位置ずれ検知方法。
【請求項４】
評価品は、少なくとも接触領域を人工体液により湿潤状態としておく、請求項１記載の吸収性物品の位置ずれ検知方法。
【請求項５】
体液を受け止める又は受け止めて吸収する吸収性物品あるいはその要素品を評価品として、着用者を模した下半身ダミーに装着させ、ダミーの脚の運動に伴う、前記評価品と下半身ダミーとの接触状態の変化を検知し、評価する方法であって、
前記ダミーの評価品接触領域内に少なくとも一つの第１位置を設定し、前記評価品のダミー接触領域内に複数の第２位置を設定し、
前記ダミーは、少なくとも評価品接触領域を睨む部位が可視部位であり、
（１）前記可視部位を通して、ダミーの脚の運動による、前記第１位置と前記第２位置とのずれを検知し、評価品の位置ずれを検知する、
（２）前記第２位置に圧力検出器を設け、前記圧力検出器により第２位置における接触圧を測定し、
（３）前記位置ずれと前記接触圧とに基づいて、前記評価品の評価を行う、
ことを特徴とする吸収性物品の評価方法。
【請求項６】
体液を受け止める又は受け止めて吸収する吸収性物品あるいはその要素品を評価品として、着用者を模した下半身ダミーに装着させ、ダミーの脚の運動に伴う、前記評価品と下半身ダミーとの接触状態の変化を検知し、評価する方法であって、
前記ダミーの評価品接触領域内に少なくとも一つの第１位置を設定し、前記評価品のダミー接触領域内に複数の第２位置を設定し、かつ、前記第２位置を前記第１位置と関連付けておき、
さらに、前記第２位置に、前記評価品の接触面に対するＺ方向、及びＸＹ方向の力を計測可能な力覚センサを固定しおき、
前記ダミーは、少なくとも評価品接触領域を睨む部位が可視部位であり、
（１）前記可視部位を通して、ダミーの脚の運動による、前記第１位置と前記第２位置とのずれを検知し、評価品の位置ずれを検知する、
（２）前記力覚センサにより前記第２位置に接触圧を測定し、
（３）前記位置ずれと前記接触圧とに基づいて、前記評価品の評価を行う、
ことを特徴とする吸収性物品の評価方法。
【請求項７】
前記力覚センサにより前記ＸＹ方向の力を計測し、前記接触面のずれの方向性と、前記位置ずれと、前記接触圧とに基づいて、前記評価品の評価を行う、
請求項６記載の吸収性物品の評価方法。
【発明の詳細な説明】
【技術分野】
【０００１】
本発明は、使い捨ておむつ、生理用ナプキン、使い捨てパッドなどの使い捨て吸収性物品の評価方法に関するものである。
【背景技術】
【０００２】
使い捨て吸収性物品においては、体液の吸収性のほか、着用時における肌との接触状態又は着用経過後の肌荒れの有無の状態が、製品の良否、しいては購入者の購入動機を生じさせるか否かの基準となる。
【０００３】
そこで、吸収性物品のメーカーは、吸収性物品表面と肌との接触状態を改善するために、吸収性物品の表面材の改良、あるいは吸収性物品の構造又は形状などの改良に努めてきた。
【０００４】
しかし、上記の改良段階における当該物品の評価は、静的状態での評価が主流である（例えば、当該物品上に人工体液を流下させる形態）。
これに対し、いわゆるダミー人形に当該物品を装着させ、体液の漏れを生じるか否かの動的な評価法も知られている。
【０００５】
後者の動的な評価法は、体液の漏れを生じるか否かを評価するのであって、現実の着用者の肌との接触状態は評価できない。したがって、その漏れが生じた理由の解明には不十分であり、また、肌との接触状態を改良するための十分な基礎情報にはなり難い。
【０００６】
他方で、関連する従来技術として下記の先行技術がある。
特許文献１のものは、人工尿を吸収させた状態の表面シートの皮膚に対する摩擦係数を測定するとともに、皮膚の角層剥離量を測定し、前記摩擦係数と角層剥離量との相関に基づいて、吸収性物品を着用したときの「皮膚の赤みの発生の程度」を評価するものである。
【先行技術文献】
【特許文献】
【０００７】
【特許文献１】特許第６２９３５００号公報
【発明の概要】
【発明が解決しようとする課題】
【０００８】
しかしながら、特許文献１のものは、実際の吸収性物品を着用した状態又はこれに相当する状態で評価するものではなく、その吸収性物品を構成する表面材単独での評価であり、実際の吸収性物品の構造や形状などの要因に基づく肌（皮膚）との接触状態を評価できない。
【０００９】
したがって、本発明が解決しようとする主たる課題は、吸収性物品を着用した状態又はこれに相当する状態での肌（皮膚）との（接触状態での）位置ずれを検知方法でき、また、その評価を行う評価方法を提供することにある。
【課題を解決するための手段】
【００１０】
上記課題を解決した本発明の第１の態様は、
体液を受け止める又は受け止めて吸収する吸収性物品あるいはその要素品を評価品として、着用者を模した下半身ダミーに装着させ、ダミーの脚の運動に伴う、評価品の位置ずれを検知する方法であって、
前記ダミーの評価品接触領域内に少なくとも一つの第１位置を設定し、前記評価品のダミー接触領域内に複数の第２位置を設定し、
前記ダミーは、少なくとも評価品接触領域を睨む部位が可視部位であり、
前記可視部位を通して、ダミーの脚の運動による、前記第１位置と前記第２位置とのずれを検知し、評価品の位置ずれを検知する、
ことを特徴とする吸収性物品の位置ずれ検知方法である。
【００１１】
本発明における「吸収性物品」とは、吸収性物品としての製品、（包装などの市場に供するための手順を経て）供給することが可能な製品に供する吸収性物品を構成する半製品、あるいは市場から回収したもの、例えば構成部材の一部が欠落したものを含む。「要素品」とは、構成部材（例えば表面シート）、あるいは吸収性物品の製品開発にあたっての準備品（開発過程品、模擬品などを含む）、これらの半製品を含む意味である。
【００１２】
下半身ダミーが透明又は半透明などの素材により、評価品接触領域を睨む部位が可視部位であると、この可視部位を通して人間の目でダミーの評価品接触領域（ダミーにおける評価品との接触領域）を視認できる、ファイバースコープを介してダミーの評価品接触領域を視認できる、あるいは撮像装置により、多数の静止画像又は動画によりダミーの評価品接触領域を記録できる。他の可視形態によってもよい。
【００１３】
かくして、ダミー（マネキン）の脚を、運動機構によりあるいは試験員が脚を手でもって動かす人的運動により、例えば人間の歩行運動のように前後運動させ、評価品が当初の装着位置からずれた場合には、第２位置が第１位置に対してずれ、第２位置が視認可能であるから、第２位置を第１位置に対してずれたとして検知できる。
その結果、評価品について、位置ずれが生じるものとして、どの位置がずれるのか、さらに位置ずれ量はどの程度か評価できる。そして、この評価を、例えば体液の吸収性物品からの漏れとの相関に役立たせることができ、新製品開発にあたっての有益な情報となる。
【００１４】
前記評価品は、そのままダミーに装着させるほか、例えば生理用ナプキンの下着、おむつ用のパッドにおける本体使い捨ておむつなどの下地材上に位置させ、下地材を評価品と共に前記ダミーに装着させて本発明に係る方法を実施できる。
【００１５】
前記第１位置及び前記第２位置の視認に際し、第１位置及び第２位置にマーカによりマーキングして視認可能とすることできる。マーキングに際しては、メッシュ状にマーキングし、その交点を第１位置及び又は第２位置とすることができる。あるいは適当な間隔をあけてドット状に第１位置及び又は第２位置をマーキングすることができる。
【００１６】
ここで、注記しておくと、第１位置は、ダミー側に設定され、ダミーの脚の運動による移動は基本的にない、又は移動量はあっても小さいから、第１位置の設定は少なくとも一つであればよい。この第１位置に対して各第２位置のずれを検知すれば、評価品全体の位置ずれを検知評価できる。
もちろん、例えば、第１位置を複数設定し、これに対応して複数の第２位置を設定し、対応する第１位置と第２位置との関係をそれぞれ検知し、評価品全体の位置ずれを検知評価することができる。
【００１７】
評価品は、少なくとも接触領域を人工体液により湿潤状態としておくことができる。
吸収性物品においては、体液を吸収した状態である場合に位置ずれ（すべりを含む位置ずれ）が生じることが多い。
そこで、少なくとも接触領域を人工体液により湿潤状態としておくことで、実使用での挙動をシュミュレートできるようになる。
ダミーとして、当業者に知られている、人工体液を滴下できるダミーを使用して、人工体液の滴下を繰り返し、その滴下ごとに位置ずれを検知することで、実装着時間と位置ずれとの相関を把握できるようになる。
【００１８】
吸収性物品の位置ずれは、着用時における人体との接触圧に依存する傾向がある。そこで、着用時における人体（ダミー）との接触圧と、位置ずれとの関係を把握することにより、吸収性物品の改良に有用な情報となる。
したがって、本発明の第２の態様として、
体液を受け止める又は受け止めて吸収する吸収性物品あるいはその要素品を評価品として、着用者を模した下半身ダミーに装着させ、ダミーの脚の運動に伴う、前記評価品と下半身ダミーとの接触状態の変化を検知し、評価する方法であって、
前記ダミーの評価品接触領域内に少なくとも一つの第１位置を設定し、前記評価品のダミー接触領域内に複数の第２位置を設定し、
前記ダミーは、少なくとも評価品接触領域を睨む部位が可視部位であり、
（１）前記可視部位を通して、ダミーの脚の運動による、前記第１位置と前記第２位置とのずれを検知し、評価品の位置ずれを検知する、
（２）前記第２位置に圧力検出器を設け、前記圧力検出器により第２位置における接触圧を測定し、
（３）前記位置ずれと前記接触圧とに基づいて、前記評価品の評価を行う、
ことを特徴とする吸収性物品の評価方法を提供できる。
【００１９】
第２位置に圧力検出器（歪みゲージ、感圧導電ゴム、静電容量変化方式、電荷変化方式など）を設け、前記圧力検出器により第２位置における接触圧を測定し、  位置ずれと前記接触圧とに基づいて、評価品の評価を行うことができる。
吸収性物品の位置ずれが、着用時における人体との接触圧に依存するとすれば、その依存の程度を知ることにより、位置ずれが生じ難い又は少ない吸収性物品の開発が可能となる。
【００２０】
第２位置の圧力検出器として、例えば歪みゲージなどを使用するのではなく、例えばロボット分野などに使用されている力覚センサを使用できる。特に近年小型化が進行している３軸力覚センサを使用できる。
したがって、本発明の第３の態様として、
体液を受け止める又は受け止めて吸収する吸収性物品あるいはその要素品を評価品として、着用者を模した下半身ダミーに装着させ、ダミーの脚の運動に伴う、前記評価品と下半身ダミーとの接触状態の変化を検知し、評価する方法であって、
前記ダミーの評価品接触領域内に少なくとも一つの第１位置を設定し、前記評価品のダミー接触領域内に複数の第２位置を設定し、かつ、前記第２位置を前記第１位置と関連付けておき、
さらに、前記第２位置に前記評価品の接触面に対するＺ方向、及びＸＹ方向の力を計測可能な力覚センサを固定しおき、
前記ダミーは、少なくとも評価品接触領域を睨む部位が可視部位であり、
（１）前記可視部位を通して、ダミーの脚の運動による、前記第１位置と前記第２位置とのずれを検知し、評価品の位置ずれを検知する、
（２）前記力覚センサにより前記第２位置に接触圧を測定し、
（３）前記位置ずれと前記接触圧とに基づいて、前記評価品の評価を行う、
ことを特徴とする吸収性物品の評価方法を提供できる。
この場合、力覚センサの法線方向（Ｚ方向）の信号を圧力検出に利用するものである。
【００２１】
力覚センサにより前記ＸＹ方向の力についても計測し、接触面のずれの方向性と、前記位置ずれと、前記接触圧とに基づいて、前記評価品の評価を行うことができる。
【発明の効果】
【００２２】
本発明によると、吸収性物品を着用した状態又はこれに相当する状態での肌（皮膚）との（接触状態での）位置ずれを検知方法でき、また、対象の吸収性物品に係る評価を行う
できる。
【図面の簡単な説明】
【００２３】
【図１】生理用ナプキンの構造例の平面図である。
【図２】その横断面図である。
【図３】下半身ダミーの正面図である。
【図４】下半身ダミーの側面図である。
【図５】下半身ダミーに評価品を装着した状態の正面図である。
【図６】下半身ダミーに評価品を装着した状態の側面図である。
【図７】３軸力覚センサ要部の斜視図である。
【図８】位置設定例の説明図である。
【図９】装着時と移動後の設定位置の相関を示す説明図である。
【図１０】左前（ＬＦ）、左後（ＬＢ）、右前（ＲＦ）、右後（ＲＢ）の動作時における各格点のすべり量のレベルを濃淡で表した図である。
【図１１】格点１７及び格点２９における前（ＬＦ）、左後（ＬＢ）、右前（ＲＦ）、右後（ＲＢ）の動作時におけるすべり量のグラフである。
【図１２】格点１７及び格点２９における前（ＬＦ）、左後（ＬＢ）、右前（ＲＦ）、右後（ＲＢ）の動作時におけるすべり量のグラフである。
【図１３】第１の条件の下で概念的にすべり量の大小を領域ごと表した説明図である。
【図１４】第２の条件の下で概念的にすべり量の大小を領域ごと表した説明図である。
【図１５】第３の条件の下で概念的にすべり量の大小を領域ごと表した説明図である。
【発明を実施するための形態】
【００２４】
次に、本発明を実施するための形態を説明する。なお、本実施の形態は、本発明の一例に過ぎない。
【００２５】
前述のように本発明に係る「吸収性物品」「要素品」として種々のものがある。図１及び図２には、生理用ナプキンの例を示した。
【００２６】
図示の生理用ナプキン１０は、不織布などからなるトップシート１とプラスチックシートかららなるバックシート２との間に、吸収体３が介在され、吸収体３の両側部にトップシート１側からエンボスＥｌが形成されたものである。
吸収体３は、綿状パルプなどからなるものが使用できるほか、いわゆるセカンドシート（図示せず）をトップシート１と吸収体３との間に設ける、両側にウイングを設ける、バックシート２の裏面に下着との間でずれが生じないようにするための粘着剤層を設けるなどの公知の構造とすることができる。
【００２７】
かかる評価品（評価対象品）を、図３〜図６に示すように、着用者を模した下半身ダミー２０に装着させる。
本例では、下半身ダミー２０への装着に際し、下地材、たとえば下着（例えばショーツ）２１上にナプキン１０を位置させ、下着２１とダミー２０との間にナプキン１０を装着させる。
吸収性物品が使い捨ておむつの場合には、その使い捨ておむつをそのまま装着するので、下地材は不要である。
【００２８】
かかる状態で、ダミー２０の脚の運動に伴う、評価品（ナプキン１０）の位置ずれを検知する。
ダミー２０の脚の運動に際しては、片足ごと前後に運動させる。この場合、試験員が手で脚をもって動かすほか、公知の運動機構（図示せず）によって動かすこともできる。図６に示したように、脚の前側への移動をＦ、後ろ側への移動をＢとする。
【００２９】
ここで、ダミー２０の評価品接触領域２０ａ内に少なくとも一つの第１位置を設定し、評価品（ナプキン１０）のダミー接触領域１０ａ内に複数の第２位置を設定しておく。ダミー２０は、全体、あるいは少なくとも評価品接触領域を睨む（例えば図５に示す視野範囲）部位が可視部位である。ダミー２０は、例えばポリウレタンゴムなどからなり、可視光を透過できる透明性を有している。
【００３０】
人の目による視認、カメラなどの撮像装置３０（図５参照）による視認により、設定された第１位置及び第２位置を現実に確認するために、第１位置及び第２位置にマーカによりマーキングして視認可能とすることできる。
このマーキングに際しては、図８に示すように、メッシュ状にマーキングし、その交点（格点）を第１位置及び又は第２位置とすることができる。後のデータ整理のために、格点には番号を付して特定する（図示例では１〜３０の符号を付してある。）ようにするのが望ましい。
メッシュによることなく、適当な間隔をあけてドット状に第１位置及び又は第２位置をマーキングすることもできる。
また、図示例では、経血排出領域はずれの対象外領域としてある。
【００３１】
図９に、ダミー２０の脚の運動後にナプキン１０の移動が生じた後の状態を模式的に示した。図面の上側が前側（腹側）であり、図面の下側が後側（臀部側）である。ナプキンを身体の形状に従って装着すると、前側が拡幅するようになる。
図９に、運動後において、例えばナプキン１０が外側にずれる例が見てとれる。
【００３２】
吸収性物品においては、特に生理用ナプキンにおいては、体液を吸収した状態である場合に位置ずれ（すべりを含む位置ずれ）が生じることが多い。
したがって、評価品は、少なくとも接触領域を人工体液により湿潤状態としておくことができる。
人工体液として、生理用ナプキンの場合、人工経血、使い捨ておむつの場合人工尿を使用できる。
【００３３】
人工経血としては、例えば、特表２００３−５３０９６５号公報の［００８５］〜［００９４］に示された例を使用できる。
人工尿としては、例えば、人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％）の組成のものを使用できる。
【００３４】
少なくとも接触領域を人工体液により湿潤状態としておくことで、実使用での挙動をシュミュレートできるようになる。
ダミーとして、当業者に知られている、人工体液を滴下できるダミーを使用して、人工体液の滴下を繰り返し、その滴下ごとに位置ずれを検知することで、実装着時間と位置ずれとの相関を把握できるようになる。
【００３５】
吸収性物品の位置ずれは、着用時における人体との接触圧に依存する傾向がある。そこで、着用時における人体（ダミー）との接触圧と、位置ずれとの関係を把握することにより、吸収性物品の改良に有用な情報となる。
【００３６】
そこで、第２位置に圧力検出器（歪みゲージ、感圧導電ゴム、静電容量変化方式、電荷変化方式など）を設け、圧力検出器により第２位置における接触圧を測定し、位置ずれ情報と接触圧情報とに基づいて、評価品の評価を行うことができる。
吸収性物品の位置ずれが、着用時における人体との接触圧に依存するとすれば、その依存の程度を知ることにより、位置ずれが生じ難い又は少ない吸収性物品の開発が可能となる。
【００３７】
第２位置の圧力検出器として、例えば歪みゲージなどを使用するのではなく、例えばロボット分野などに使用されている力覚センサを使用できる。特に近年小型化が進行している３軸力覚センサを使用できる。
図７に３軸力覚センサ４０の外形を示した（テック技販製。２０ｍｍ角、厚さ５ｍｍ）。
【００３８】
さらに、３軸力覚センサ４０によると、接触面に対するＺ方向（法線方向）のみならず、ＸＹ方向の力（分力）を計測可能であるので、接触面のずれの方向性と、前記位置ずれと、前記接触圧とに基づいて、前記評価品の評価を行うこともできる。
【００３９】
本発明は使い捨ておむつやパッドなども対象とする。また、体液を吸収するには至らないが受け止めるだけの機能をもったものをも、吸収性物品とする。
【実施例】
【００４０】
以下生理用ナプキンについての実施例を示す。
生理用ナプキンは、下着に装着するものであり、さらには、それらの上にタイツを穿いたり、経血を吸収した後も使用したりすることがある。
しかし、着圧や人工経血の吸収が生理用品と肌のずれに及ぼす影響については不明確な点が多い
そこで実施例では、下半身ダミーを用いて歩行動作の過程における生理用品と肌のすべり挙動の解析を行い、また、着圧や人工経血の吸収が生理用品と肌のずれに及ぼす影響を明らかにするものである。
【００４１】
下半身ダミーは、人工皮膚と人工骨格で構成されており、人体と同程度の弾性率と、可視光を透過できる透明性を有している。下半身ダミーに市販の生理用ナプキンを装着した下着を穿かせ、その両脚を交互に０．８〜１．０Ｈｚ程度の移動間隔で３回ずつ前後に人の手によって動かした。その時の生理用ナプキンと下半身ダミーの動きをフレームレート３０ｆｐｓに設定したビデオカメラで下半身ダミーの胴体側より撮影した。
【００４２】
図８に示すように下半身ダミーの表面には赤の方眼罫、生理用ナプキンの表面には黒の方眼罫が施されおり、格子点には番号が振り分けられている。着圧の値は、小型３軸力覚センサ（テック技販、ＵＳＬ０６−Ｈ５−５０Ｎ）を用いて測定した格子点番号２１の値である。なお、通常圧力は、立位時の着圧を模擬している。経血吸収後の条件として、粘度８ｍＰａ・ｓの人工経血を６ｍｌ吸収させたナプキンを使用した。
【００４３】
通常着圧は１．８８ｋＰａ、３倍着圧は５．５６ｋＰａである。
撮影した動画における下半身ダミーと生理用ナプキンの格子点をトラッキングソフト（Ｐｈｏｔｒｏｎ、ＴＥＭＡ  ２Ｄ）を用いて追従を行うことで、下半身ダミーの表面位置座標（ｘj i’、ｙj i’）、生理用ナプキンの表面位置座標（ｘj i’’、ｙj i ’’）を計測した。添字ｉは、フレーム数を示し、添字ｊは、格子点の番号を示す。それぞれの位置座標とｘ方向、ｙ方向およびすべり方向のフレーム間におけるすべり距離Δｘj i、Δｙj iとΔＬj iの間には以下の関係が成り立つ。
【数１】
2020049008.tif 000003
【数２】
2020049008.tif 000004
【数３】
2020049008.tif 000005
また、各動作開始前から終了までのすべり距離Ｌjは式（３）を積分することで得られる。
【数４】
2020049008.tif 000006
なお、すべり距離の計算には、ソフトから得たデータに１Ｈｚのローパスフィルター処理を施したデータを用いた。
下半身ダミーの左脚が前方に進む際の動作をＬＦ（Ｌｅｆｔ  ｌｅｇ  Ｆｏｒｗａｒｄ）、左脚が後方に進む際の動作をＬＢ（Ｌｅｆｔ  ｌｅｇ  Ｂａｃｋｗａｒｄ）、右脚が前方に進む際の動作をＲＦ、右脚が後方に進む際の動作をＲＢと分類し、すべり距離を評価した。以降、それぞれの動作をＬＦ、ＬＢ、ＲＦ、ＲＢと呼ぶものとする。
【００４４】
図１０には、乾燥状態における通常圧力時のすべり距離の分布を動作ごとに示す。同図で用いたすべり距離は、各動作３回分の試験データの平均値である。
同図より、左右の脚の動きによらず、腹側に近い点ではすべり距離が小さく、臀部側（Ｙ軸の負方向）の格子点にいくにつれすべり距離が大きい値を示す傾向にあることが分かる。
この傾向の要因を明らかにするため、生理用ナプキンを履いた状態でのそれぞれの格子点における着圧の分布を、小型３軸力覚センサを用いて測定した。その結果を表１に示す。
【表１】
2020049008.tif 000007
同表から、臀部側（Ｙ軸の負方向）の格子点にいくにつれ着圧が小さい値を示す傾向にあることが分かる。これらのことから、着圧が小さい部位ではすべり距離が大きくなると推察できる。
【００４５】
図１１に、すべり距離が相対的に大きい格子点１７、すべり距離が小さい格子点２９におけるそれぞれの動作のすべり距離の通常圧時と通常の３倍高圧力時の比較を示す。
同図より、通常圧力におけるすべり距離に比べ、着圧が通常圧力の３倍の条件におけるすべり距離がほぼ全ての動作で減少する傾向が分かる。
また、図１１において比較を行うと、着圧が小さい臀部側である格子点１７ではすべり距離が大きくなり、着圧が大きい腹部側である格子点２９ではすべり距離が小さい傾向がみられた。
さらに、３倍高圧力時の格子点１７のすべり距離と通常圧力時の格子点２９のすべり距離を比較しても、圧倒的に格子点２９のすべり距離が小さい値を示す。このことから、すべり距離に及ぼす影響として、着圧の他に、各部位における肌の移動挙動の違いが考えられる。つまり、肌と生理用ナプキン間のすべりを低減するためには、着圧を増加させることも有効であるが、各部位の肌の移動挙動に合わせて追従できるように、生理用ナプキンの構造を設計することが必要であることが示唆された。
【００４６】
図１２に、すべり距離が大きい格子点１７、すべり距離が小さい格子点２９におけるそれぞれの動作におけるすべり距離の乾燥状態と人工経血吸収後の比較を示す。
図１２より、人工経血吸収後のすべり距離は、乾燥状態に比べほぼ全ての動作ですべり距離が増加する傾向を示した。特に、格子点２９における増加率が大きく、１．９〜４．３倍の大きい値を示す。動作によっては格子点１７とほぼ同等の値を示す。
このことから、一度経血を吸収した生理用ナプキンは、部位によらず、すべりやすくなるといえる。これは、人工経血を吸収したことによって肌と生理用ナプキンとの間に水膜を介した接触が増え、摩擦係数が減少したことが要因だと考えられる。
すべり距離の増加が、肌と生理用ナプキンとのずれによる経血の漏えいの危険性を増加させるとすれば、すべり距離を低減することは重要である。これらの結果より、経血を吸収した後にすばやく表面が乾燥状態となるような生理用ナプキンを開発すること、あるいは、一度吸収した生理用ナプキンは可能な限り新しいものに取り替えることを周知することが必要であるといえる。
【００４７】
図１３に、乾燥状態における通常圧力時のすべり距離の分布、図１４に、乾燥状態における３倍圧力時のすべり距離の分布、図１５に、人工経血吸収後のすべり距離の分布の模式図を示す。
ここで用いたすべり距離は、全動作ＬＦ、ＬＢ、ＲＦ、ＲＢのすべり距離の平均値であり、各格子点で算出したすべり距離を基にすべり距離の分布を模式的に図示した。また、全動作においてすべり挙動は左右対称であると仮定し図示している。
全ての条件において、腹部側のすべり距離が、臀部側に比べ小さいことが分かる。図１３と図１４を比較すると、３倍圧の方が通常圧に比べ、広範囲に小さなすべり距離を示す。これは、前述のように、着圧が広範囲に大きいためと考えられる。また、図１５より、人工経血吸収後は、全ての領域で小さいすべり距離を示さなくなり、すべり距離が大きい領域が広範囲になることが分かる。図１３と図１５を比較してみると、人工経血吸収後の方が、乾燥状態に比べ広範囲で大きいすべり距離を示す。  
【００４８】
実施例による結論を概説すると次のとおりである。
（１）生理用ナプキンと下半身ダミーの肌との間において、臀部側は、腹部側に比べすべり距離が大きいことが分かった。
（２）着圧の増加に伴い、部位によらず、すべり距離が低減されることが分かった。
（３）人工経血を吸収させると、部位によらず、すべり距離が著しく増加することが分かった。
【産業上の利用可能性】
【００４９】
使い捨ておむつ、生理用ナプキン、使い捨てパッドなどの使い捨て吸収性物品に関し、的確な評価を行うことが可能となる。
【符号の説明】
【００５０】
１  トップシート
２  バックシート
３  吸収体
１０  生理用ナプキン
１０ａ  ダミー接触領域
２０  下半身ダミー
２０ａ  評価品接触領域
３０  撮像装置
４０  ３軸力覚センサ
【図１】
2020049008.tif 000008
【図２】
2020049008.tif 000009
【図３】
2020049008.tif 000010
【図４】
2020049008.tif 000011
【図５】
2020049008.tif 000012
【図６】
2020049008.tif 000013
【図７】
2020049008.tif 000014
【図８】
2020049008.tif 000015
【図９】
2020049008.tif 000016
【図１０】
2020049008.tif 000017
【図１１】
2020049008.tif 000018
【図１２】
2020049008.tif 000019
【図１３】
2020049008.tif 000020
【図１４】
2020049008.tif 000021
【図１５】
2020049008.tif 000022